(57)【要約】【課題】展示する商品や店舗のイメージに合わせた外観イメージを容易につくりだすことができる商品陳列用棚を提供する。【解決手段】略方形断面を有した筒体に折曲形成され、商品を載置可能な胴板部材と、前記胴板部材の外周面に着脱可能に取付けられた装飾用シートと、前記胴板部材の断面形状に合致する窪みを備え、該窪みに前記胴板部材の端部が差し込まれて前記胴板部材の形状を保持する枠体と、を備え,前記胴板と前記枠体との隙間に前記装飾用シートの端部を収容したことを特徴とする。【選択図】図１
0003141794.tif 000002
【実用新案登録請求の範囲】
【請求項１】
略方形断面を有した筒体に折曲形成され、商品を載置可能な胴板部材と、
前記胴板部材の外周面に着脱可能に取付けられた装飾用シートと、
前記胴板部材の断面形状に合致する窪みを備え、該窪みに前記胴板部材の端部が差し込まれて前記胴板部材の形状を保持する枠体と、を備え、
前記胴板と前記枠体との隙間に前記装飾用シートの端部を収容したことを特徴とする商品陳列用棚。
【請求項２】
隣接した前記枠体に差し込まれ、該枠体間の間隔を保持する連結材をさらに備えることを特徴とする請求項１に記載の商品陳列用棚。
【請求項３】
前記胴板部材は、手動で折り曲げ可能な材料から構成され、前記筒状に折曲形成するための折れ線が形成されていることを特徴とする請求項１又は請求項２に記載の商品陳列用棚。
【請求項４】
前記枠体は、前記胴板部材の両端部に取付けられ、
前記連結材により複数の前記枠体が結合したことを特徴とする請求項１乃至請求項３のいずれか１項に記載の商品陳列用棚。
【考案の詳細な説明】
【技術分野】
【０００１】
本考案は、商品展示用の棚に関する。
【背景技術】
【０００２】
従来、店舗やショールームなどにおいて、商品等を陳列するための什器等は、商品を効率的に陳列することに重きを置いているため、そのデザインは画一的なものが多く、展示する商品や店舗のイメージに合わせた什器等を選択できる余地は少なかった。
【考案の開示】
【考案が解決しようとする課題】
【０００３】
本考案は、上記問題点を解決するためになされたものであり、展示する商品や店舗のイメージに合わせた外観イメージを容易につくりだすことができる商品陳列用棚を提供することを目的とする。
【課題を解決するための手段】
【０００４】
上記目的を達成するため、本考案に係る商品陳列用棚は、略方形断面を有した筒体に折曲形成され、商品を載置可能な胴板部材と、前記胴板部材の外周面に着脱可能に取付けられた装飾用シートと、前記胴板部材の断面形状に合致する窪みを備え、該窪みに前記胴板部材の端部が差し込まれて前記胴板部材の形状を保持する枠体と、を備え、前記胴板と前記枠体との隙間に前記装飾用シートの端部を収容したことを特徴とする。
【０００５】
隣接した前記枠体に差し込まれ、該枠体間の間隔を保持する連結材をさらに備えてもよい。
【０００６】
また、前記胴板部材は、手動で折り曲げ可能な材料から構成され、前記筒状に折曲形成するための折れ線が形成されてもよい。
【０００７】
また、前記枠体は、前記胴板部材の両端部に取付けられ、前記連結材により複数の前記枠体が結合してもよい。
【考案の効果】
【０００８】
本考案によれば、展示する商品や店舗のイメージに合わせた外観イメージを容易につくりだすことができる商品陳列用棚を提供できる。
【考案を実施するための最良の形態】
【０００９】
以下、本考案の実施形態に係る商品陳列用棚を図１乃至図４を参照して説明する。
【００１０】
図１に示したように、本考案の実施形態に係る商品陳列用棚１０は、筒状に形成された胴板１１と、胴板１１の外周面に巻かれたバナー布１２と、胴板１１の内周面に形成された化粧樹脂板１３と、胴板１１の端部に取付けられ胴板１１と化粧樹脂板１３とを挟み込むホールド部材１４と、胴板１１の端部に取付けられ胴板１１の形状を保持する枠体１５と、隣接する商品陳列用棚１０の枠体１５間を接続する連結材１６とを備えている。
【００１１】
胴板１１は、長方形に切り出された一枚の平板から構成され、容易に持ち運びや折り曲げが可能な材料が選定されている。例えば、胴板１１はポリプロピレンのシート（通称、プラスチックダンボール）から構成されている。胴板１１には、予めカッター等で切り込みが入れられ、この切り込みに沿って折り曲げることにより、胴板１１は略方形断面の筒状に成形される。
【００１２】
バナー布１２は、図１に示すように胴板１１の筒状高さ方向と比べ若干小さい寸法の布地から構成されており、例えばポリエステル製の布地から構成されている。バナー布１２には、所望のテキストや模様等が色彩を伴って印刷されている。バナー布１２は、例えば両面テープや接着剤等により、胴板１１の外周面に取付けられている。こうすることで、バナー布１２で演出された商品陳列用棚１０を見た者に、視覚を通じて美観を与えることができる。
【００１３】
化粧樹脂板１３は、胴板１１の内周面の装飾のために取付けられ、表面が平坦なシートから構成されている。例えば、ポリエチレンテレフタラート（以下、ＰＥＴ）のシートから構成されている。化粧樹脂板１３は、胴板１１部材とほぼ同寸法に切り出されおり、ホールド部材１４により胴板１１と挟み込まれている。化粧樹脂板１３は、折り曲げ加工した一枚もののシートから構成しても良いし、胴板１１の面ごとに分割して構成しても良い。
【００１４】
ホールド部材１４は、胴板１１の略方形の一辺毎に分割形成されている。ホールド部材１４は、例えば、ポリエチレンテレフタラート（以下、ＰＥＴとする）がチャンネル型に加工された部材で、図２に示すように胴板１１と化粧樹脂板１３とを挟み込むことで、両者を一体化する。また、胴板１１と化粧樹脂板１３との端部を保護することで、耐久性の向上を図っている。また、胴板１１と枠体１５との間にスペースＳを形成し、バナー布１２の端部を収容できる空間を確保するスペーサとして機能する。
【００１５】
枠体１５は、略コの字形状をなし、胴板１１の略方形状に合わせて周状に形成されている。図２に示すように、枠体１５はホールド部材１４を挟み込むことで、胴板１１の形状を保持する。枠体１５は、所定の強度を備えた材料であることが好ましく、例えばアルミニウムから構成されている。また、図２に示すように、枠体１５の胴板１１側（外周側）の面１５ａは、化粧樹脂板１３側の面１５ｂよりも幅広く設定され、バナー布１２の端部を収容するための空間を確保する。
【００１６】
連結材１６は略山字型をなし、図３に示す凹部１６ａは枠体１５に差し込まれる。この連結材１６により、隣接して配された商品陳列用棚１０の枠体１５間を接続することで、複数の商品陳列用棚１０を一体化させることができる。なお、凹部１６ａにゴム板１６ｃを取付けることで、凹部１６ａで枠体１５を確実に把持して、商品陳列用棚１０間のずれの発生を防止する。連結材１６は、例えばＰＥＴやアルミニウム等から構成される。
【００１７】
このように連結材１６を用いて、隣接する商品陳列用棚１０の枠体１５間を連結することで、図４に示すように、図中上下方向や、図中左右方向に配した複数の商品陳列用棚１０を一体的に結合させることができる。このように結合した商品陳列用棚１０は、アルミニウム製の枠体１５を骨組みとして、重力や外力に抵抗することができる。また、連結材１６にゴム板１６ｃ（図３）を設置することで、連結材１６が枠体１５を確実に把持するため、結合した商品陳列用棚１０の形状が簡単に崩れたり、分解したりすることはない。
【００１８】
このように形成された商品陳列用棚１０や、結合した商品陳列用棚１０の内部には、展示したい商品や商品の説明書等を載置することができる。この際、例えば、展示する商品のイメージに合わせたデザインや、製造業者のロゴを印刷したバナー布１２を胴板１１に巻きつけることで、商品を見に来た者に、商品と商品陳列用棚１０とを一体としてアピールすることができる。また、このようなバナー布１２を巻きつけた商品陳列用棚１０を店舗等に配置することで、来た者を惹きつける店舗空間を創造することができる。
【００１９】
上述した本実施形態に係る商品陳列用棚１０は、所望のテキストや模様等が印刷されたバナー布１２を取り替えることで、その外観イメージを容易に変更することができる。これは、展示する商品を変更したり、あるいは商品の製造業者を変更したりする際にも、大掛かりな作業を必要とすることなく、簡単に対応することができる。
【００２０】
また、本実施形態に係る商品陳列用棚１０は、あらかじめ形成された切り込み線に沿って胴板１１を折り曲げ、胴板１１にバナー布１２と化粧樹脂板１３とを取り付け、それらの端部にホールド部材と枠体１５とを取付けるという極めて単純な作業で組み立てることができる。また、商品陳列用棚１０を構成する各部材は用意に持ち運びができ、負荷がかかる組立作業を必要としない。これは、従来の商品陳列用の什器等の組立作業に比べ、格段に作業量を少なくすることができる。
【００２１】
また、本実施形態に係る商品陳列用棚１０は、各部材ごとに分解することにより、大きなスペースを占有することなく収容することができる。例えば、胴板１１は、展開することで一枚のシートとすることができ、複数の商品陳列用棚１０を収容する場合であっても、これらを重ねていくことでコンパクトに収容することができる。
【００２２】
さらに、本実施形態に係る商品陳列用棚１０は、連結材１６を用いて自由な形状に商品陳列用棚１０を結合していくことができ、商品を展示方法にも工夫を凝らすことができるとともに、店舗空間を自由に演出することも可能となる。
【００２３】
本考案は上述した実施形態に限られず、様々な変形及び応用が可能である。例えば、上述した実施形態では、バナー布１２がポリエステル製の布地であると説明したが、例えば、他の材質の布地でも良いし、紙やＰＥＴ等の印刷可能な装飾用のシートから構成しても良い。また、他の上記部材においても、材料は適宜変更可能である。
また、枠体１５で胴板１１と化粧樹脂板１３とを挟みこむとともに、バナー布１２の端部を収容するスペースを確保するようにするようにすることで、ホールド部材１４を兼用した枠体１５としてもよい。
【図面の簡単な説明】
【００２４】
【図１】本考案の実施形態に係る商品陳列用棚の分解図。
【図２】図１中の矢視ＩＩ−ＩＩで示した断面図。
【図３】枠体間に配される連結材の詳細図。
【図４】本考案の実施形態に係る商品陳列用棚の組み合わせ例を示した斜視図。
【符号の説明】
【００２５】
１０      商品陳列用棚
１１      胴板
１２      バナー布
１３      化粧樹脂板
１４      ホールド部材
１５      枠体
１６      連結材
【図１】
0003141794.tif 000003
【図２】
0003141794.tif 000004
【図３】
0003141794.tif 000005
【図４】
0003141794.tif 000006